(57)【要約】【課題】弾性及び通気性を保持可能なクッション構造を提供する。【解決手段】弾性及び通気性を保持可能なクッション構造はクッション本体１０、複数のサポート弾力体２０、少なくとも１個の填充物３０を有する。クッション本体１０は収容空間１１を有する。複数のサポート弾力体２０は収容空間１１内に設置され、複数のサポート弾力体２０は収容空間１１の形態に対応し、相互に隣り合い連結し、複数の隣接スリット２１を有し、弾性の高い耐圧、通気構造を構成する。填充物３０は収容空間１１及び複数のサポート弾力体２０が相互に隣り合い連結した隣接スリット２１内に充填され、これによりクッション本体１０の使用時には、手触りが柔軟で快適である。【選択図】図２
0003208671.tif 000002
【実用新案登録請求の範囲】
【請求項１】
弾性及び通気性を保持可能なクッション構造は、クッション本体、複数のサポート弾力体、少なくとも１個の填充物を有し、
前記クッション本体は、収容空間を有し、
前記複数のサポート弾力体の各サポート弾力体は、中空筒構造を呈し、前記収容空間内に設置され、前記複数のサポート弾力体は、前記収容空間の形態に対応し、相互に隣り合い連結し、複数の隣接スリットを有し、弾性を高める耐圧及び通気構造を構成し、
前記少なくとも１個の填充物は、前記収容空間に充填され、及び前記複数のサポート弾力体の相互に隣り合い連結する隣接スリット内に位置し、前記クッション本体の柔軟性と快適性を高められることを特徴とする弾性及び通気性を保持可能なクッション構造。
【請求項２】
前記各サポート弾力体は、中空の筒構造を呈し、中空部及びウエスト弧状部を有し、これにより弾性及び通気性を高められることを特徴とする請求項１に記載の弾性及び通気性を保持可能なクッション構造。
【請求項３】
前記填充物は、コットンボール、カーリー形態で連結する数本の塑性管、羽毛、コットンの内の少なくとも一つであることを特徴とする請求項１に記載の弾性及び通気性を保持可能なクッション構造。
【請求項４】
前記複数のサポート弾力体は、相互に隣り合い連結し、線性構造、マトリックス構造の内のいずれかを構成し、全体の連結を利用し、耐圧、弾性、通気性をそれぞれ高められることを特徴とする請求項１に記載の弾性及び通気性を保持可能なクッション構造。
【請求項５】
前記サポート弾力体は、ポリビニルクロライド、ポリエチレン、スポンジの内の少なくとも一つであることを特徴とする請求項１に記載の弾性及び通気性を保持可能なクッション構造。
【請求項６】
前記填充物は、前記サポート弾力体の中空部、前記ウエスト弧状部の内の少なくとも一つの内に充填されることを特徴とする請求項２に記載の弾性及び通気性を保持可能なクッション構造。
【考案の詳細な説明】
【技術分野】
【０００１】
本考案は弾性を保持可能で、変形しにくく、通気と手触りの柔軟性に優れた弾性及び通気性を保持可能なクッション構造に関する。
【背景技術】
【０００２】
大部分の枕内にはコットンが充填されており、使用を始めたばかりの頃は、弾性に富んでいる。しかし、長く使用すると、コットンは圧迫され、陥没を生じ始め、それが固定されてしまい、弾性も通気性も失われてしまう。それにより、頭を載せても不快であるという問題が生じている。
【考案の概要】
【考案が解決しようとする課題】
【０００３】
本考案は弾性を保持可能で変形しにくく、手触りの柔軟性に優れた弾性及び通気性を保持可能なクッション構造に関する。
【課題を解決するための手段】
【０００４】
前述目的を達成するため、本考案による弾性及び通気性を保持可能なクッション構造は、クッション本体、複数のサポート弾力体、少なくとも１個の填充物を有する。
該クッション本体は、収容空間を有する。
該複数のサポート弾力体は、該収容空間内に設置される。該複数の弾性体は、該収容空間の形態に対応し、相互に隣り合い連結し、複数の隣接スリットを有し、弾性を高める耐圧及び通気構造を構成する。
該少なくとも１個の填充物は、該収容空間に充填され、及び該複数の隣接スリット内に位置し、該クッション本体の使用時に、手触りが柔軟な快適効果を提供することができる。
【考案の効果】
【０００５】
本考案による弾性及び通気性を保持可能なクッション構造は、弾性を保持可能で変形しにくく、手触りの柔軟性に優れている。
【図面の簡単な説明】
【０００６】
【図１】本考案の分解模式図である。
【図２】本考案の第一実施形態の局部断面図である。
【図３】本考案の第二実施形態の局部断面図である。
【図４】本考案の第三実施形態の局部断面図である。
【図５】本考案の第四実施形態の局部断面図である。
【図６】本考案の第五実施形態の外観模式図である。
【考案を実施するための形態】
【０００７】
図１及び図６に示す通り、本考案による弾性及び通気性を保持可能なクッション構造は、クッション本体１０、複数のサポート弾力体２０、少なくとも１個の填充物３０を有する。
クッション本体１０は、収容空間１１を有する。
複数のサポート弾力体２０は、収容空間１１内に設置される。複数のサポート弾力体２０は、収容空間１１の形態に対応し、相互に隣り合い連結し、複数の隣接スリット２１（図２参照）を有し、弾性を高める耐圧及び通気構造を構成する。
少なくとも１個の填充物３０は、収容空間１１に充填され、複数のサポート弾力体２０が相互に隣り合い連結する隣接スリット２１内に位置する。これにより、クッション本体１０の使用時に、手触りが柔軟な快適効果を提供する。
【０００８】
実際の利用においては、クッション本体１０は布或いはい草等で製造し、弾力性を備えた通風構造である。
【０００９】
各サポート弾力体２０は、中空の筒構造を呈し、そのサイズは必要に応じて変えられ、中空部２０Ａ及びウエスト弧状部２０Ｂを有し、これにより弾性及び通気性を高めることができる。
【００１０】
複数のサポート弾力体２０は相互に隣り合い連結して線性構造、マトリックス構造（図１参照）を形成し、全体の連結を利用し、耐圧、弾性、通気効果をそれぞれ高めることができる。
【００１１】
サポート弾力体２０はポリビニルクロライド（ＰｏｌｙＶｉｎｙｌ  Ｃｈｌｏｒｉｄｅ、ＰＶＣと略称）、ポリエチレン（ｐｏｌｙｅｔｈｙｌｅｎｅ、ＰＥと略称）、スポンジの内の少なくとも一つである。
ポリビニルクロライドは、気体充填製品（弾性に優れ、ゴムに置換できる）を製造できる。
ポリエチレンは、日常生活で最も常用される高分子材料の一つである。
【００１２】
填充物３０はコットンボール（図２参照）、カーリー形態で連結する数本の塑性管（図３参照）、羽毛（図４参照）、コットン（図５参照）の内の少なくとも一つである。
【００１３】
填充物３０はさらに、中空部２０Ａ、ウエスト弧状部２０Ｂの内の少なくとも一つの内に充填される。
【００１４】
弾性を保持可能なクッション構造は、ベッドマットレス（図６参照）、枕（図１〜図５参照）、或いは他の弾力により支えるクッション構造である。
【００１５】
本考案では、複数のサポート弾力体２０は相互に隣り合い連結し、線性構造或いはマトリックス構造を形成し、単一『点』のサポート弾力体２０を拡大して、線性或いはマトリックスの『面』の結合を形成する。これにより、全体は連結し、耐圧、弾性、通気性をそれぞれ高めることができる。
さらに、その間の填充物３０は、通気性を備え、弾性効果を倍増させられ、コットンであるため柔軟特性も備え、柔軟な手触りで快適性を高めることができる。
【００１６】
本考案の長所と効果は以下の通りである。
１．弾性、変形しにくさ、通気効果を保持可能である。本考案内に設置する複数のサポート弾力体は中空の筒構造を呈し、これによりクッション構造を長時間使用しても、弾性を保持し、変形しにくく（陥没の状況は起きにくい）、中空筒構造の設計により、通気空間を提供するため、通気性に優れている。
２．手触りの柔軟性が高い。本考案は填充物をクッション本体の収容空間と複数のサポート弾力体の間に充填し、さらにその填充物はコットンボール、羽毛等であるため、クッション構造は弾性を保持するほか、手触りが硬すぎず、柔軟性に優れた手触りを生み出すことができる。
【００１７】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００１８】
１０  クッション本体
１１  収容空間
２０  サポート弾力体
２０Ａ  中空部
２０Ｂ  ウエスト弧状部
２１  隣接スリット
３０  填充物
【図１】
0003208671.tif 000003
【図２】
0003208671.tif 000004
【図３】
0003208671.tif 000005
【図４】
0003208671.tif 000006
【図５】
0003208671.tif 000007
【図６】
0003208671.tif 000008